(57)【要約】【課題】強度の低下を抑制して、洗濯機の真下に排水ホースを収納することにより、外観品質を向上させて、しかも、床部内の構造が相違する建物にも、対応させて、洗濯機を設置することができる洗濯機用防水パン構造を提供する。【解決手段】防水パン本体２８の底面部２８ｃの四隅には、外周縁２８ａよりも内側に、合計４箇所、脚受面部２９…が、各々設けられていて、防水パン本体２８の底面部２８ｃの四隅から、長辺２９ａを有する上面視直角二等辺三角形形状を呈するように、上面側２９ｂが、周壁部２８ｂの上端面近傍手前まで、上方に向けて膨出されて形成されている。そして、洗濯機７の四隅の各脚部７ａ…が、各々これらの脚受面部２９…の上面に、載置されるように構成されている。更に、防水パン本体２８の外周縁２８ａよりも内側で、何れか一つの脚受面部２９の長辺２９ａの内側直近に近接させて、排水口部２０が、開口形成されている。【選択図】図１
2008054919.tif 000002
【特許請求の範囲】
【請求項１】
建物の床部上面に載置される洗濯機及び、前記床部上面との間に設けられて、該洗濯機の脚部を支持する脚受面部と、前記洗濯機の排水ホースを床部下面側に向けて連通させる排水口部とが設けられた防水パン本体を有する洗濯機用防水パン構造であって、
前記防水パン本体を上面視正方形形状に形成すると共に、前記脚受面部を、該防水パン本体の四隅に上方に向けて膨出させて形成して、前記防水パンの外周縁よりも内側で、前記脚受面部の内側直近に近接させて、前記排水口部を開口形成させたことを特徴とする洗濯機用防水パン構造。
【請求項２】
前記排水口部に加えて、更に、前記隣接する二隅の脚受面部の間に、第二の排水口部を設けたことを特徴とする請求項１記載の洗濯機用防水パン構造。
【発明の詳細な説明】
【技術分野】
【０００１】
この発明は、住宅構造に拘わらず、適用箇所を増大させて、レイアウト性を向上させることが出来る洗濯機用防水パン構造に関するものである。
【背景技術】
【０００２】
従来、図９に示すような洗濯機用構造が知れられている（例えば、特許文献１等参照）。
【０００３】
まず、構成から説明すると、この従来の防水パン１では、上面視略長方形形状を呈する防水パン本体２の底面部２ａのうち、短辺側２ｂに、３つの排水口３…が開設されている。  これらの３つの排水口３…のうち、何れか一つが、通孔５が形成された１枚の覆板４によって覆われると共に、他の２つの排水口３，３が、孔が設けられていない平板状の覆板６，６によって閉塞される。
【０００４】
そして、前記通孔５が形成された１枚の覆板４によって覆われた排水口３を介して、図示省略の洗濯機の排水ホース等を挿通させて、建物の床下に配管される配水管に該排水ホース等を接続するように構成されている。
【０００５】
次に、この従来の外洗濯機用防水パン構造の作用について説明する。
【０００６】
このように構成された従来の外洗濯機用防水パン構造では、前記通孔５が形成された１枚の覆板４によって、選択的に覆われた排水口３を介して、洗濯機７の排水ホース８が挿通させて、建物の床下に配管される配水管９に、この排水ホース８が接続される。
【０００７】
このため、排水口３…の位置を異ならせた数種類の防水パン１…を作製準備する必要が無く、床部内の構造が相違する建物にも、対応させて、洗濯機７を設置することができる。
【特許文献１】特開平９−２４２１４８号公報
【発明の開示】
【発明が解決しようとする課題】
【０００８】
しかしながら、このような従来の洗濯機用防水パン構造では、前記洗濯機７が載置される底面部２ａから、前記短辺側２ｂに外れて、３つの排水口３…が設けられているので、洗濯機７の裏面側等側面部と、建物内壁面との間に空間が生じてしまう。
【０００９】
このため、スペース効率が良好ではなく、露出した排水ホース８によって、外観品質が低下してしまうといった問題があった。
【００１０】
また、短辺側２ｂに、排水口３…が、並設されて集中して形成されている。
【００１１】
このため、前記防水パン本体２の前記洗濯機７を支持する強度が、低下してしまうといった問題があった。
【００１２】
更に、図８中、脱衣所１４内の室内内側壁面部１５等に沿わせて、図９中、二点鎖線で示す前記短辺側２ｂが、設けられた場合、床部下面側に位置する根太部材２２に、この排水口３の下方に接続される配水管９が干渉して配置できない虞もあった。
【００１３】
そこで、この発明は、強度の低下を抑制して、洗濯機の真下に排水ホースを収納することにより、外観品質を向上させて、しかも、床部内の構造が相違する建物にも、対応させて、洗濯機を設置することができる洗濯機用防水パン構造を提供することを課題としている。
【課題を解決するための手段】
【００１４】
上記目的を達成するために、請求項１に記載されたものは、建物の床部上面に載置される洗濯機及び、前記床部上面との間に設けられて、該洗濯機の脚部を支持する脚受面部と、前記洗濯機の排水ホースを床部下面側に向けて連通させる排水口部とが設けられた防水パン本体を有する洗濯機用防水パン構造であって、
前記防水パン本体を上面視正方形形状に形成すると共に、前記脚受面部を、該防水パン本体の四隅に上方に向けて膨出させて形成して、前記防水パンの外周縁よりも内側で、前記脚受面部の内側直近に近接させて、前記排水口部を開口形成させた洗濯機用防水パン構造を特徴としている。
【００１５】
また、請求項２に記載されたものは、前記排水口部に加えて、更に、前記隣接する二隅の脚受面部の間に、第二の排水口部を設けた請求項１記載の洗濯機用防水パン構造を特徴としている。
【発明の効果】
【００１６】
このように構成された請求項１記載のものは、前記脚受面部が形成される、該防水パン本体の四隅では、上方に向けて膨出する形状を呈しているので、平面状のものと比して、強度が向上されている。
【００１７】
このため、該脚受面部の内側直近に近接させて、前記排水口部を開口形成させても、強度の低下が抑制されているので、充分な支持剛性を得ることが出来る。
【００１８】
また、前記脚受面部は、上方に向けて膨出した部分に形成されているので、前記洗濯機下面側と、前記防水パン本体との間に、一定の間隙を形成することができる。
【００１９】
このため、前記洗濯機の排水ホースを、該間隙から直接、前記排水口部内に、導入すれば、外部から、該排水ホースを視認しにくく、外観品質を良好に維持できる。
【００２０】
しかも、１つの排水口部を、前記脚受面部の内側直近に形成することにより、該上面視正方形形状の防水パン本体を、建物の床部構造に適合させて回転させて、根太部材等の内部構造物と干渉させることなく、配置させることが出来る。
【００２１】
また、請求項２に記載されたものは、更に、前記排水口部に加えて、第二の排水口部が、前記隣接する二隅の脚受面部の間に設けられているので、建物の床部構造への適合力を向上させることが出来る。
【発明を実施するための最良の形態】
【００２２】
以下、本発明の実施の形態について、図面を参照しつつ説明する。
【００２３】
図１乃至図８は、この発明の最良の実施の形態の洗濯機用防水パン構造を示すものである。なお、前記従来例と同一乃至均等な部分については、同一符号を付して説明する。
【００２４】
まず、構成から説明すると、この実施の形態の洗濯機用防水パン構造は、図８に示すような住宅としてのユニット建物１１の浴室ユニット１２内に形成された浴室１３に隣接配置される脱衣所１４内の内側壁面部１５に沿って、洗面ボール１６と隣接配置される洗濯機設置スペース１７に設けられる防水パン本体１８を有して主に構成されている。
【００２５】
この防水パン本体１８は、前記脱衣所１４の床部上面１４ａに載置される図２に示すような洗濯機７及び、前記床部上面１４ａとの間に設けられて、この洗濯機７の四隅に設けられた脚部７ａ…を支持する脚受面部１９と、前記洗濯機７の排水ホース８を、床部下面側に向けて連通させる排水口部２０とが設けられている。
【００２６】
また、前記浴室ユニット１２内の床部下面１４ｂには、縦方向及び横方向に、各々直交する床根太部材２１…及び２２…が、略等間隔を置いて並設されている。
【実施例１】
【００２７】
図１乃至図４は、この実施の形態の実施例１を示すものである。
【００２８】
なお、前記実施の形態と同一乃至均等な部分については、同一符号を付して説明する。
【００２９】
この実施例１の洗濯機用防水パン構造では、図１に示すように、平板状の底面部２８ｃを有する前記防水パン本体２８が、上面視正方形形状に形成されている。
【００３０】
また、図４に示すように、この防水パン本体２８の底面部２８ｃの外周縁２８ａには、周壁部２８ｂが、上方に向けて一体に突設形成されていて、断面形状を略凹状としている。  そして、図１中二点鎖線で示されるように、この防水パン本体２８の底面部２８ｃの四隅には、外周縁２８ａよりも内側に、合計４箇所、脚受面部２９…が、各々設けられている。
【００３１】
この脚受面部２９…は、図３に示すように、この防水パン本体２８の底面部２８ｃの四隅から、長辺２９ａを有する上面視直角二等辺三角形形状を呈するように、上面側２９ｂが、前記周壁部２８ｂの上端面近傍手前まで、上方に向けて膨出されて形成されている。
【００３２】
そして、図１及び図２に示すように、前記洗濯機７の四隅の各脚部７ａ…が、各々これらの脚受面部２９…の上面に、載置されるように構成されている。
【００３３】
更に、前記防水パン本体２８の外周縁２８ａよりも内側で、前記何れか一つの脚受面部２９の長辺２９ａの内側直近に近接させて、前記排水口部２０が、開口形成されている。
【００３４】
次に、この実施例１の作用効果について説明する。
【００３５】
この実施例１の洗濯機用防水パン構造では、前記脚受面部２９…が、形成されたこの防水パン本体２８の四隅では、前記底面部２８ｃの高さ方向位置から、上方に向けて、前記洗濯機７の四隅の各脚部７ａ…が、膨出する形状を呈しているので、平面状のものと比して、膨出した部分の周囲が、前記長辺２９ａの傾斜面及び、周壁部２８ｂで囲まれて、強度が向上している。
【００３６】
このため、脚受面部２９の長辺２９ａの内側直近に近接させて、前記排水口部２０を開口形成させても、強度の低下が抑制されているので、前記上側に載置される洗濯機７の重量が、これらの脚受面部２９…から、底面部２８ｃ全体に分散させて、充分な支持剛性を得ることが出来る。
【００３７】
しかも、この実施例１では、１つの排水口部２０が、前記脚受面部２９の長辺２９ａの内側直近に形成されることにより、従来のように、複数個、集中して並設されるものに比して、強度の低下が抑制される。
【００３８】
従って、この点においても、充分な支持剛性を得やすい。
【００３９】
また、前記脚受面部２９は、上方に向けて膨出した部分に形成されているので、図２に示すように、前記洗濯機７の下面側７ｂと、前記防水パン本体２８の底面部２８ｃとの間に、一定の間隙が形成される。
【００４０】
このため、前記洗濯機７の排水ホース８を、この間隙から直接、前記排水口部２０内に、屈曲させつつ導入すれば、外部から、この排水ホース８を視認しにくく、外観品質を良好に維持できる。
【００４１】
しかも、この実施例１では、１つの排水口部２０が、前記脚受面部２９の長辺２９ａの内側直近に形成されている。
【００４２】
また、上面視正方形形状の防水パン本体２８は、中央部を中心として、水平方向に回転させることにより、９０°毎に、前記排水口部２０の位置を建物の床部構造に適合させて変更できる。
【００４３】
このため、前記洗濯機７を設置する前に、この防水パン本体２８を、回転させて、前記床部下面１４ｂに設けられた根太部材２１，２２等の内部構造物と干渉させることなく、前記排水口部２０に接続される配水管９を配置させることが出来る。
【００４４】
例えば、図８に比較例として示す前記実施の形態の防水パン本体１８では、排水口３の真下に、根太部材２１，２２等が位置する場合、下方に接続される配水管９が、これらの根太部材２１，２２に干渉する虞がある。
【００４５】
しかしながら、この実施例１では、１つの排水口部２０が、前記脚受面部２９の長辺２９ａの内側直近に形成されている。
【００４６】
このため、前記防水パン本体２８を９０°毎に回転させることにより、４箇所の相違する位置に排水口部２０を位置させることができるので、容易に、前記根太部材２１，２２等を避けて、前記配水管９を接続出来る。
【実施例２】
【００４７】
図５乃至図７は、この発明の実施の形態の実施例２の洗濯機用防水パン構造を示すものである。
【００４８】
なお、前記実施の形態と同一乃至均等な部分については、同一符号を付して説明する。
【００４９】
この実施例２では、前記実施例１の洗濯機用防水パン構造の防水パン本体２８に設けられている前記排水口部２０に加えて、更に、前記隣接する二隅の脚受面部２９，２９の間に、第二の排水口部３０が設けられた防水パン本体３８が用いられて構成されるものである。
【００５０】
次に、この実施例２の作用について説明する。
【００５１】
この実施例２では、前記実施例１の作用効果に加えて、更に、防水パン本体３８に、第二の排水口部３０が設けられている。
【００５２】
このため、例えば、図７に示すように、前記床部下面１４ｂに設けられた根太部材２１，２２等の内部構造物と干渉させることなく、前記排水口部２０に接続される配水管９を配置させることが出来る場合、配水管９の配管を容易に行うことができる。
【００５３】
また、排水口２０だけでは、根太部材２１，２２との干渉を回避出来ない場合には、前記防水パン本体２８を９０°毎に回転させるだけで、前記第二の排水口部３０の位置を変更させて、前記排水口部２０が、存在できない箇所にも、前記配水管９の位置を複数パターン設定することができるので、容易に、記根太部材２１，２２等を避けて、前記配水管９を接続させることが出来る。
【００５４】
他の構成及び作用効果については、前記実施の形態及び実施例１と、同一乃至均等であるので説明を省略する。
【００５５】
以上、図面を参照して、本発明の実施の形態及び実施例１，２を詳述してきたが、具体的な構成は、この実施の形態に限らず、本発明の要旨を逸脱しない程度の設計的変更は、本発明に含まれる。
【００５６】
即ち、前記実施例１の洗濯機用防水パン構造では、脚受面部２９…が、図３に示すように、この防水パン本体２８の底面部２８ｃの四隅から、長辺２９ａを有する上面視直角二等辺三角形形状を呈すると共に、図２に示すように、上面側２９ｂが、前記周壁部２８ｂの上端面近傍手前まで、上方に向けて膨出されて形成されているが、特にこれに限らず、例えば、前記脚受面部２９の上面視形状を、扇形、五角形等の多角形形状等としても良く、更に、上下方向の膨出量である高さ寸法等、面積を含む形状、寸法及び材質等が、特に限定されるものではない。
【図面の簡単な説明】
【００５７】
【図１】この発明の最良の実施の形態の実施例１の洗濯機用防水パン構造で、洗濯機が設置される防水パン本体の構成を説明する上面図である。
【図２】実施の形態及び実施例１の洗濯機用防水パン構造が用いられた洗濯機設置スペースの正面図である。
【図３】実施の形態の実施例１の洗濯機用防水パン構造で、防水パン本体の構成を説明する上面図である。
【図４】実施の形態の実施例１の洗濯機用防水パン構造で、図３中Ｂ−Ｂ線に沿った位置での断面図である。
【図５】実施の形態の実施例２の洗濯機用防水パン構造で、防水パン本体の構成を説明する上面図である。
【図６】実施の形態の実施例２の洗濯機用防水パン構造で、図５中Ｃ−Ｃ線に沿った位置での断面図である。
【図７】実施の形態の実施例２の洗濯機用防水パン構造で、浴室及び脱衣所を上方から見た浴室ユニットの一部透過平面図である。
【図８】実施の形態の洗濯機用防水パン構造で、浴室及び脱衣所を上方から見た浴室ユニットの一部透過平面図である。
【図９】従来例の洗濯機用防水パン構造で、防水パン本体の構成を説明する平面図である。
【符号の説明】
【００５８】
７          洗濯機
７ａ        脚部
７ｂ        下面側
８          排水ホース
１１        ユニット建物（住宅）
１４ａ      床部上面
１４ｂ      床部下面
１５        内側壁面部
１８，２８，３８  防水パン本体
１９，２９        脚受面部
２０        排水口部
２１，２２  床根太部材
３０        第二の排水口部
【図１】
2008054919.tif 000003
【図２】
2008054919.tif 000004
【図３】
2008054919.tif 000005
【図４】
2008054919.tif 000006
【図５】
2008054919.tif 000007
【図６】
2008054919.tif 000008
【図７】
2008054919.tif 000009
【図８】
2008054919.tif 000010
【図９】
2008054919.tif 000011